(57)【要約】      （修正有）【課題】刃口調整を容易にした鉋台を提供する。【解決手段】鉋台Ｋは、刃口Ｓの一方に刃口金１、刃口Ｓの他方に貫通孔２１を有する刃物２が取り付けられた鉋台Ｋであって、刃物２を取り付ける傾斜取付面３と、第１の雌ネジ５と、この第１の雌ネジ５と傾斜取付面３との間に位置する凹所３１とを有する鉋台本体１０と、第１の雌ネジ５に螺合し、頭部４１を刃物２の貫通孔２１の孔壁２１Ｗに当接して、傾斜取付面３に取り付けられた刃物２を刃口金１に近づけたり遠ざけたり移動する第１の雄ネジ体４とを備え、頭部４１の一部は、凹所３１内に位置し、第１の雄ネジ体４には、第１の雄ネジ体４の頭部４１から離間した中途にスパナの係合部に係合される被係合部４２が設けられ、被係合部４２の一部は凹所３１及び外方に位置しているものである。【選択図】図３
0003231709.tif 000002
【実用新案登録請求の範囲】
【請求項１】
刃口の一方に刃口金、前記刃口の他方に貫通孔を有する刃物が取り付けられた鉋台であって、
前記刃物を取り付ける傾斜取付面と、第１の雌ネジと、この第１の雌ネジと前記傾斜取付面との間に位置する凹所とを有する鉋台本体と、
前記第１の雌ネジに螺合し、頭部を前記刃物の前記貫通孔の孔壁に当接して、前記傾斜取付面に取り付けられた前記刃物を前記刃口金に近づけたり遠ざけたり移動する第１の雄ネジ体とを備え、
前記頭部の一部は、前記凹所内に位置し、
前記第１の雄ネジ体には、前記第１の雄ネジ体の頭部から離間した中途にスパナの係合部に係合される被係合部が設けられ、前記被係合部の一部は前記凹所及び外方に位置している
ことを特徴とする鉋台。
【請求項２】
第１の座金、第２の座金、第３の座金、刃物取付ナットを有し、
刃物は、刃物貫通孔を有し、
鉋台本体は、前記刃物貫通孔に連通する鉋台貫通孔を有する鉋台通路を有し、
前記鉋台通路は、入口側通路と、この入口側通路から拡大した中間側通路と、この中間側通路から拡大した出口側通路と、を有し、
前記入口側通路は、中間側通路より刃物貫通孔に近い側に位置し、
前記刃物貫通孔の前記鉋台通路より遠い側の端部に第１の座ぐり部、前記入口側通路の前記中間側通路より遠い側の端部に第２の座ぐり部が設けられ、
前記第１の座ぐり部に前記第１の座金が、前記第２の座ぐり部に前記第２の座金が、前記中間側通路の天井部に前記第３の座金が、前記出口側通路の天井部に刃物取付ナットが、それぞれ位置し、
刃物取付ボルトが前記第１の座金、前記刃物貫通孔、前記第２の座金、前記入口側通路、前記第３の座金、前記中間側通路、前記出口側通路を通ると共に、前記刃物取付ボルトの頭部は前記第１の座金を介して前記刃物の外表面より露出し、前記刃物取付ボルトの雄ネジが前記刃物取付ナットに螺合し、
前記第２の座金と前記刃物取付ナットの間にカラーが位置し、    
このカラーの外側であって、前記第３の座金と前記刃物取付ナットの間にばねが位置している
ことを特徴とする請求項１記載の鉋台。
【請求項３】
鉋台本体は、刃口金取付ボルト通し通路を有し、
前記刃口金取付ボルト通し通路は、刃口金に近接する刃口金側通路と、この刃口金側通路から拡大した拡大通路と、を有し、
前記刃口金は、刃口金取付ボルトの先端側が前記拡大通路、前記刃口金側通路を介して前記刃口金に設けられた雌ネジに螺合して取り付けられ、
前記拡大通路の天井部と前記刃口金取付ボルトの頭部との間にサラばね座金が位置し、
前記刃口金は、前記サラばね座金を介して前記刃口金取付ボルトにより前記鉋台本体に取り付けられ、
前記刃口金取付ボルトの頭部に係合するスパナが外部より侵入できるスパナ侵入通路が前記鉋台本体に設けられている
ことを特徴とする請求項１記載の鉋台。
【考案の詳細な説明】
【技術分野】
【０００１】
本考案は、鉋台に係り、特に、刃口調整を容易にした鉋台に関する。
【背景技術】
【０００２】
従来、鉋盤に使用される鉋台がある(特許文献１参照)。
【先行技術文献】
【特許文献】
【０００３】
【特許文献１】実公平２−２３３７０号公報
【考案の概要】
【考案が解決しようとする課題】
【０００４】
この種、鉋台にあっては、例えば、鉋盤に鉋台を装着してテスト加工した後、刃先の調整が必要になると、鉋盤から鉋台を取り外して再調整を図らなければならず、しかも、鉋台は、２０Kgから１００Kgを超えるものまであり、刃口調整が容易でないという問題点が生じた。
【０００５】
本考案は、上記の問題点を考慮してなされた鉋台を提供することにある。
【課題を解決するための手段】
【０００６】
請求項１記載の鉋台は、刃口の一方に刃口金、前記刃口の他方に貫通孔を有する刃物が取り付けられた鉋台であって、前記刃物を取り付ける傾斜取付面と、第１の雌ネジと、この第１の雌ネジと前記傾斜取付面との間に位置する凹所とを有する鉋台本体と、前記第１の雌ネジに螺合し、頭部を前記刃物の前記貫通孔の孔壁に当接して、前記傾斜取付面に取り付けられた前記刃物を前記刃口金に近づけたり遠ざけたり移動する第１の雄ネジ体とを備え、前記頭部の一部は、前記凹所内に位置し、前記第１の雄ネジ体には、前記第１の雄ネジ体の頭部から離間した中途にスパナの係合部に係合される被係合部が設けられ、前記被係合部の一部は前記凹所及び外方に位置しているものである。
【０００７】
また、請求項２記載の鉋台は、請求項１記載の鉋台において、第１の座金、第２の座金、第３の座金、刃物取付ナットを有し、刃物は、刃物貫通孔を有し、鉋台本体は、前記刃物貫通孔に連通する鉋台貫通孔を有する鉋台通路を有し、前記鉋台通路は、入口側通路と、この入口側通路から拡大した中間側通路と、この中間側通路から拡大した出口側通路と、を有し、前記入口側通路は、中間側通路より刃物貫通孔に近い側に位置し、前記刃物貫通孔の前記鉋台通路より遠い側の端部に第１の座ぐり部、前記入口側通路の前記中間側通路より遠い側の端部に第２の座ぐり部が設けられ、前記第１の座ぐり部に前記第１の座金が、前記第２の座ぐり部に前記第２の座金が、前記中間側通路の天井部に前記第３の座金が、前記出口側通路の天井部に刃物取付ナットが、それぞれ位置し、刃物取付ボルトが前記第１の座金、前記刃物貫通孔、前記第２の座金、前記入口側通路、前記第３の座金、前記中間側通路、前記出口側通路を通ると共に、前記刃物取付ボルトの頭部は前記第１の座金を介して前記刃物の外表面より露出し、前記刃物取付ボルトの雄ネジが前記刃物取付ナットに螺合し、前記第２の座金と前記刃物取付ナットの間にカラーが位置し、このカラーの外側であって、前記第３の座金と前記刃物取付ナットの間にばねが位置しているものである。
【０００８】
また、請求項３記載の鉋台は、請求項１記載の鉋台において、鉋台本体は、刃口金取付ボルト通し通路を有し、前記刃口金取付ボルト通し通路は、刃口金に近接する刃口金側通路と、この刃口金側通路から拡大した拡大通路と、を有し、前記刃口金は、刃口金取付ボルトの先端側が前記拡大通路、前記刃口金側通路を介して前記刃口金に設けられた雌ネジに螺合して取り付けられ、前記拡大通路の天井部と前記刃口金取付ボルトの頭部との間にサラばね座金が位置し、前記刃口金は、前記サラばね座金を介して前記刃口金取付ボルトにより前記鉋台本体に取り付けられ、前記刃口金取付ボルトの頭部に係合するスパナが外部より侵入できるスパナ侵入通路が前記鉋台本体に設けられているものである。
【考案の効果】
【０００９】
請求項１記載の鉋台によれば、鉋台を鉋盤から取り外すことなく、鉋台を鉋盤に取付けたままスパナの係合部に被係合部を係合させて、スパナを回動させて刃口調整をすることができる。
【００１０】
また、請求項２記載の鉋台によれば、上述した請求項１記載の考案の効果に加え、カラーの外側であって、第２の座金と刃物取付ナットの間にばねが位置して
いるため、刃物取付ボルトと刃物取付ナットとの締め付けを緩めることなくばねの付勢力で刃物を押えたまま刃口調整を行うことができる。
【００１１】
また、請求項３記載の鉋台によれば、上述した請求項１記載の考案の効果に加え、
刃口金取付ボルトの頭部に係合するスパナが外部より侵入できるスパナ侵入通路が鉋台本体に設けられているため、サラばね座金により刃口金取付ボルトに予圧がかかり、刃口のスキマ調整のため少し（例えば、スパナの回動角度でいえば、約４０度）刃口金取付ボルトを緩めても刃口金取付ボルトが自由に動くことなくスパナを抜いた位置に留まり、再締め付けの際にスパナを抜いた位置にスパナを差し込み、そこからスパナを元の位置（締付であった所）に戻すことで容易に刃口の再締付ができる。
【図面の簡単な説明】
【００１２】
【図１】図１は、本考案の一実施例の鉋台の概略的平面図である。
【図２】図２は、図１の概略的背面図である。
【図３】図３は、図１の３−３線による概略的断面図である。
【図４】図４は、図１の４−４線による概略的断面図である。
【図５】図５は、図１の刃物の位置調整を示す概略的図である。
【図６】図６は、図１の刃口金の位置調整を示す概略的図であり、図６（ａ）は、図４の刃口金取付ボルトの頭部の回動方法を示すもので、図６（ｂ）は、図２の一部の概略的図である。
【図７】図７（ａ）は、図４の第１の雄ネジ体の概略的図であり、図７（ｂ）は、図７（ａ）の７−７線による概略的断面図である。
【図８】図８は、図４の刃物取付ボルトの概略的図である。
【図９】図９は、図１の鉋台の実施品を撮影した写真である。
【図１０】図１０は、図９の鉋台を反転させた実施品を撮影した写真である。
【図１１】図１１は、図９の一部を撮影した写真である。
【図１２】図１２は、図１１の一部を撮影した写真である。
【図１３】図１３は、図１０の一部を撮影した写真である。
【図１４】図１４は、図１０の一部を撮影した写真である。
【図１５】図１５は、図１０の一部を撮影した写真である。
【図１６】図１６は、図１０の一部を撮影した写真である。
【考案を実施するための形態】
【００１３】
本考案の一実施例の鉋台を図１乃至図１６を参照して説明する。
【００１４】
図１に示すＫは、刃口Ｓの一方に刃口金１、刃口Ｓの他方に貫通孔２１を有する刃物２が取り付けられた鉋台である。
鉋台本体１０は、図3に示すように、刃物２を取り付ける傾斜取付面３と、第１の雌ネジ５と、この第１の雌ネジ５と傾斜取付面３との間に位置する凹所３１とを有する。
４は、第１の雌ネジ５に螺合し、頭部４１を刃物２の貫通孔２１の孔壁２１Ｗに当接して、傾斜取付面３に取り付けられた刃物２を刃口金１に近づけたり遠ざけたり移動する第１の雄ネジ体である。なお、頭部４１の一部は、凹所３１内に位置している。
即ち、刃物２の貫通孔２１の孔壁２１Ｗに当接する第１の雄ネジ体４の頭部４１の進退により、刃物２は刃口金１に対して移動するものである。
また、図３、図７（ａ）（ｂ）に示すように、第１の雄ネジ体４には、第１の雄ネジ体４の頭部４１から離間した中途にスパナ１００の係合部に係合される被係合部４２が設けられ、被係合部４２の一部は凹所３１及び外方に位置している。
なお、第１の雄ネジ体４は、例えば、削り出しにより形成することができる。被係合部４２は、例えば、第１の雄ネジ体４の頭部４１の形状と同じ六角形である。
【００１５】
従って、上述した鉋台Ｋによれば、傾斜取付面３に取り付けられた刃物２を刃口金１に近づけたり遠ざけたり移動する第１の雄ネジ体４には、第１の雄ネジ体４の頭部４１から離間した中途にスパナ１００の係合部に係合される被係合部４２が設けられると共に、被係合部４２の一部は凹所３１及び外方に位置しているため、鉋台Ｋを図示しない鉋盤から取り外すことなく、鉋台Ｋを図示しない鉋盤に取付けたままスパナ１００（図５参照）の係合部に被係合部４２を係合させて、スパナ１００を回動させて刃口調整をすることができる。なお、図５に示す２００は、第１の雄ネジ体４の初期設定、最終設定する際に、第１の雄ネジ体４の端部に係合して使用する六角棒レンチである。
【００１６】
次に、図４、図８を参照して、説明する。
Ｚ１は第１の座金、Ｚ２は第２の座金、Ｚ３は第３の座金、７は刃物取付ナットで、刃物２は、刃物貫通孔２３を有し、鉋台本体１０は、刃物貫通孔２３に連通する鉋台貫通孔を有する鉋台通路１０Ａを有している。
鉋台通路１０Ａは、入口側通路１０Ａ１と、この入口側通路１０Ａ１から拡大した中間側通路１０Ａ２と、この中間側通路１０Ａ２から拡大した出口側通路１０Ａ３と、を有している。なお、入口側通路１０Ａ１は、中間側通路１０Ａ２より刃物貫通孔２３に近い側に位置している。
また、刃物貫通孔２３の鉋台通路１０Ａより遠い側の端部に第１の座ぐり部２Ｚ、入口側通路１０Ａ１の中間側通路１０Ａ２より遠い側の端部に第２の座ぐり部１０Ｚが設けられ、第１の座ぐり部２Ｚに第１の座金Ｚ１が、第２の座ぐり部１０Ｚに第２の座金Ｚ２が、中間側通路１０Ａ２の天井部１０Ａ２Ｔに第３の座金Ｚ３が、出口側通路１０Ａ３の天井部１０Ａ３Ｔに刃物取付ナット７が、それぞれ位置している。
また、刃物取付ボルト６が第１の座金Ｚ１、刃物貫通孔２３、第２の座金Ｚ２、入口側通路１０Ａ１、第３の座金Ｚ３、中間側通路１０Ａ２、出口側通路１０Ａ３を通ると共に、刃物取付ボルト６の頭部は第１の座金Ｚ１を介して刃物２の外表面より露出し、刃物取付ボルト２の雄ネジが刃物取付ナット７に螺合している。
そして、第２の座金Ｚ２と刃物取付ナット７の間にカラー８が位置し、このカラー８の外側であって、第３の座金Ｚ３と刃物取付ナット７の間にばね９が位置している。    そのため、刃物取付ボルト６と刃物取付ナット７との締め付けを緩めることなくばね９の付勢力で刃物２を押えたまま刃口調整を行うことができる。
【００１７】
次に、図５を参照して、説明する。
鉋台本体１０は、刃口金取付ボルト通し通路１０Ｂを有し、刃口金取付ボルト通し通路１０Ｂは、刃口金１に近接する刃口金側通路１０Ｂ１と、この刃口金側通路１０Ｂ１から拡大した拡大通路１０Ｂ２と、を有している。
刃口金１は、刃口金取付ボルト５０の先端側が拡大通路１０Ｂ２、刃口金側通路１０Ｂ１を介して刃口金１に設けられた雌ネジに螺合して取り付けられ、拡大通路１０Ｂ２の天井部１０Ｂ２Ｔと刃口金取付ボルト５０の頭部５１との間にサラばね座金５２が位置し、刃口金１は、サラばね座金５２を介して刃口金取付ボルト５０により鉋台本体１０に取り付けられている。
また、刃口金取付ボルト５０の頭部５１に係合するスパナ１００が外部より侵入できるスパナ侵入通路６０が鉋台本体１０に設けられている。
そのため、サラばね座金５２により刃口金取付ボルト５０に予圧がかかり、刃口Ｓのスキマ調整のため少し（例えば、スパナ１００の回動角度でいえば、約４０度）刃口金取付ボルト５０を緩めても刃口金取付ボルト５０が自由に動くことなくスパナ１００を抜いた位置に留まり、再締め付けの際にスパナ１００を抜いた位置にスパナ１００を差し込み、そこからスパナ１００を元の位置（締付であった所）に戻すことで容易に刃口の再締付ができる。なお、刃口金取付ボルト５０を緩める場合には、例えば、図６（ａ）のスパナ１００をＡからＢへ反時計回りに回動する。
【００１８】
なお、図６（ｂ）に示す７０は、刃口金１を刃物２に近付ける押しボルトであり、８０は、刃口金１を刃物２から遠ざける引きボルトである。
【符号の説明】
【００１９】
Ｋ      鉋台
Ｓ      刃口
１      刃口金
２      刃物
３      傾斜取付面
４      第１の雄ネジ体
５      第１の雌ネジ
１０     鉋台本体
２１     貫通孔
２１Ｗ   孔壁
３１     凹所
４1      頭部
１００   スパナ
【図１】
0003231709.tif 000003
【図２】
0003231709.tif 000004
【図３】
0003231709.tif 000005
【図４】
0003231709.tif 000006
【図５】
0003231709.tif 000007
【図６】
0003231709.tif 000008
【図７】
0003231709.tif 000009
【図８】
0003231709.tif 000010
【図９】
0003231709.tif 000011
【図１０】
0003231709.tif 000012
【図１１】
0003231709.tif 000013
【図１２】
0003231709.tif 000014
【図１３】
0003231709.tif 000015
【図１４】
0003231709.tif 000016
【図１５】
0003231709.tif 000017
【図１６】
0003231709.tif 000018